(57)【要約】【課題】反転操作を繰り返す状況に陥ることの抑制を図る。【解決手段】複数の表示対象Ｇ、Ｈ、Ｉ、Ｊ、Ｋの中から所望の表示対象を順に探索するにあたり、その探索方向および探索速度を、ユーザがダイヤル２１（操作部材）を操作して指令するように構成された探索操作システムに適用された制御装置３０（探索制御装置）であることを前提とする。この制御装置３０は、探索方向を反転するようにダイヤル２１が反転操作された場合であって、その反転操作速度が所定速度以上である場合には急反転操作と判定する。そして、急反転操作と判定された場合には、急反転操作が為されていない場合に比べて遅い探索速度で探索する。【選択図】図１
2014164741.tif 000002
【特許請求の範囲】
【請求項１】
複数の表示対象（Ｇ、Ｈ、Ｉ、Ｊ、Ｋ）の中から所望の表示対象を順に探索するにあたり、その探索方向および探索速度を、ユーザが操作部材（２１）を操作して指令するように構成された探索操作システムに適用され、
前記探索方向を反転するように前記操作部材が反転操作された場合であって、その反転操作速度が所定速度以上である場合には、前記操作部材が急反転操作されたと判定する判定手段（３１）と、
前記急反転操作が為されていないと判定された場合には、前記操作部材の実際の操作量に対応する探索速度で探索していく通常制御手段（３２）と、
前記急反転操作されたと判定された場合には、前記通常制御手段よりも遅い探索速度で探索していく低速制御手段（３３）と、
を備えることを特徴とする探索制御装置。
【請求項２】
前記急反転操作を開始した時点で探索していた表示対象を特定表示対象として設定し、かつ、前記複数の表示対象の中から、前記特定表示対象を少なくとも含む所定領域の表示対象を設定する設定手段（３４）を備え、
前記低速制御手段により探索されている表示対象が前記所定領域から外れた時点で、前記低速制御手段による探索を終了して前記通常制御手段による探索に切り替えることを特徴とする請求項１に記載の探索制御装置。
【請求項３】
前記所定領域の表示対象または前記特定表示対象が前記複数の表示対象のいずれであるかをユーザに報知する、急反転時表示対象報知手段（３５）を備えることを特徴とする請求項２に記載の探索制御装置。
【請求項４】
前記低速制御手段で探索している旨をユーザに報知する、低速探索報知手段（３６）を備えることを特徴とする請求項１〜３のいずれか１つに記載の探索制御装置。
【請求項５】
前記低速制御手段で探索している最中に、前記急反転操作を開始してから所定時間が経過した時点で、前記低速制御手段による探索を終了して前記通常制御手段による探索に切り替えることを特徴とする請求項１〜４のいずれか１つに記載の探索制御装置。
【請求項６】
前記探索操作システムは、複数の第１表示対象の中から所望の表示対象を順に探索する第１モードと、複数の第２表示対象の中から所望の表示対象を順に探索する第２モードとを切り替えて探索可能に構成されており、
前記判定手段は、前記第１モード時と前記第２モード時とで、前記急反転操作されたか否かの判定条件を異ならせることを特徴とする請求項１〜５のいずれか１つに記載の探索制御装置。
【請求項７】
請求項１〜６のいずれか１つに記載の探索制御装置と、前記操作部材と、前記表示対象を表示する表示装置（１０）と、を備えることを特徴とする探索操作システム。
【発明の詳細な説明】
【技術分野】
【０００１】
本発明は、表示装置に表示されている複数の表示対象の中から所望の表示対象を探索する探索制御装置、およびその装置を備えた探索操作システムに関する。
【背景技術】
【０００２】
特許文献１には、ユーザによるジョグダイヤル（操作部材）の操作に基づいて、表示装置に表示されている複数のアイコン（表示対象）の中から所望のアイコンを順に探索していく探索操作システムが開示されている。詳細には、ジョグダイヤルの回転操作方向に応じた探索方向、かつ、ジョグダイヤルの回転操作量に応じた探索速度で、選択されているアイコンを順に切り替えていく。
【０００３】
例えば、所望するアイコン（所望アイコン）が、現時点で選択されているアイコン（選択アイコン）に対して順方向側に大きく離れた位置にある場合には、ユーザは次のようにジョグダイヤルを操作することを想定している。すなわち、先ずはジョグダイヤルを基準位置（ゼロ位置）から順方向に回転操作して、選択アイコンを順方向に移動させる。次に、ジョグダイヤルをゼロ位置側に少し戻して、選択アイコンの順方向への移動を低速にする。その後、選択アイコンが所望アイコンに一致したタイミングでジョグダイヤルをゼロ位置に戻す。これにより、移動する選択アイコンが所望アイコンの位置で停止し、そのアイコンに関連付けられた処理が実行可能になる。
【先行技術文献】
【特許文献】
【０００４】
【特許文献１】特開２０００−２４９５６８号公報
【発明の概要】
【発明が解決しようとする課題】
【０００５】
さて、上述の如く所望アイコンを探索するにあたり、ジョグダイヤルをゼロ位置側に戻すタイミングが遅れた場合等、移動する選択アイコンが所望アイコンの位置を順方向に通り過ぎてしまう場合がある。この場合には、ユーザは、ジョグダイヤルをゼロ位置に対して逆方向の側に回転操作（反転操作）し、その後、逆方向に移動する選択アイコンが所望アイコンに一致したタイミングでジョグダイヤルをゼロ位置に戻すように操作する。
【０００６】
しかしながら、このような通り過ぎの状況では、急に反転操作することになるので、逆方向への回転操作量が過大になることがある。すると、今度は逆方向に通り過ぎてしまい、反転操作を繰り返すことになる。
【０００７】
本発明は、上記問題を鑑みてなされたもので、その目的は、反転操作を繰り返す状況に陥ることの抑制を図った探索制御装置および探索操作システムを提供することにある。
【課題を解決するための手段】
【０００８】
開示されたひとつの発明は、上記目的を達成するために以下の技術的手段を採用する。なお、特許請求の範囲に記載した括弧内の符号は、ひとつの態様として後述する実施形態に記載の具体的手段との対応関係を示すものであって、開示された発明の技術的範囲を限定するものではない。
【０００９】
上記目的を達成する発明は以下の点を特徴とする。すなわち、複数の表示対象（ｅ１、ｅ２、ｅ３、ｅ４、ｅ５）の中から所望の表示対象を順に探索するにあたり、その探索方向および探索速度を、ユーザが操作部材（２１）を操作して指令するように構成された探索操作システムに適用されることを前提とする。
【００１０】
そして、前記探索方向を反転するように前記操作部材が反転操作された場合であって、その反転操作速度が所定速度以上である場合には、前記操作部材が急反転操作されたと判定する判定手段（４１）と、前記急反転操作が為されていないと判定された場合には、前記操作部材の実際の操作量に対応する探索速度で探索していく通常制御手段（４２）と、前記急反転操作されたと判定された場合には、前記通常制御手段よりも遅い探索速度で探索していく低速制御手段（４３）と、を備えることを特徴とする。
【００１１】
これによれば、急反転操作が為された場合には、通常制御手段よりも遅い探索速度で探索する。そのため、例えば、順方向への探索時に選択表示対象が所望表示対象の位置を通り過ぎたためユーザが反転操作した状況下において、過大な操作量で反転操作してしまっても、通常時に比べて低速の探索速度で逆方向に探索されることになる。そのため、１回の反転操作で所望の表示対象を選択可能にすることを促進でき、反転操作を繰り返す状況に陥ることを抑制できる。
【図面の簡単な説明】
【００１２】
【図１】本発明の第１実施形態にかかる探索操作システムを模式的に示すブロック図。
【図２】第１実施形態において、通常制御および低速制御にかかるスクロール送り量と操作量との関係を示す図。
【図３】図２に示すスクロール送り量と操作量との関係をグラフ化した図。
【図４】図２および図３の設定にしたがってスクロールの表示制御を実施した場合の、表示態様の一例を示す図。
【図５】第１実施形態において、急反転操作と反転操作の違いを説明する図。
【図６】第１実施形態において、スクロール表示の制御手順を示すフローチャート。
【図７】急反転操作の一例を表した、スクロール速度の変化履歴を示す図。
【図８】急反転操作の一例を表した、スクロール速度の変化履歴を示す図。
【図９】急反転操作の一例を表した、スクロール速度の変化履歴を示す図。
【図１０】本発明の第２実施形態において、スクロール送り量と操作量との関係を示す図。
【発明を実施するための形態】
【００１３】
以下、本発明にかかる探索制御装置および探索操作システムを車両に搭載した各実施形態について、図面を参照しつつ説明する。
【００１４】
（第１実施形態）
図１に示すように、探索操作システムは、表示装置１０、操作装置２０および制御装置３０を備えて構成されている。表示装置１０は、車室内に設置されたインストルメントパネルに取り付けられ、操作装置２０は、インストルメントパネルやステアリングハンドル、運転席座部と助手席座部の間に設置されている。
【００１５】
表示装置１０は、操作装置２０による操作内容を表示し、その表示内容は、制御装置３０から出力される指令信号に基づき制御される。操作装置２０は、オーディオ装置や空調装置、ナビゲート装置等、車両に搭載された各種装置の作動を指令するよう、ユーザ（車両乗員）により操作される。つまり、探索操作システムは、オーディオ装置の作動を操作するオーディオモード（第１モード）と、空調装置の作動を操作する空調操作モード（第２モード）と、ナビゲート装置の作動を操作するナビモード（第３モード）とに切り替え可能に構成されている。
【００１６】
表示装置１０の表示部ｅｍにはいずれのモードが選択されているかが表示される。ちなみに、図１では、オーディオモードが選択されている旨が表示部ｅｍに表示されており、後述する表示部ｅ１、ｅ２、ｅ３、ｅ４、ｅ５の各々には曲名のアイコンＧ、Ｈ、Ｉ、Ｊ、Ｋが表示されている。
【００１７】
これらのアイコンＧ、Ｈ、Ｉ、Ｊ、Ｋは、予め設定された処理内容を表現した「表示対象」に相当し、例えばオーディオモードにおいて表示対象が曲名である場合には、選択された曲名の音楽をオーディオ装置に出力させることが、「予め設定された処理内容」に相当する。
【００１８】
操作装置２０は、ユーザにより回転操作されるダイヤル２１と、ダイヤル２１の回転操作量および回転操作方向を検出するセンサ２２と、ユーザにより押動操作されるスイッチ２３と、ダイヤル２１を振動させる振動モータ２４と、を備える。センサ２２およびスイッチ２３から出力される検出信号は制御装置３０へ入力される。
【００１９】
ダイヤル２１は、基準位置Ｒ０（ゼロ位置）に対して時計方向（順方向）および反時計方向（逆方向）の双方向に回転操作可能に構成されている。ダイヤル２１を基準位置Ｒ０から順方向に回転させると、図示しない弾性部材の弾性力がダイヤル２１に対して逆方向に付勢される。同様に、ダイヤル２１を基準位置Ｒ０から逆方向に回転させると、弾性力が順方向に付勢される。したがって、ユーザがダイヤル２１から手を離すと、ダイヤル２１は弾性力で基準位置Ｒ０に戻る。なお、ダイヤル２１を回転操作するにあたりその回転量が大きいほど、弾性変形量が増大して弾性力は大きくなる。
【００２０】
制御装置３０は、周知の中央演算処理装置およびメモリを有したマイクロコンピュータ（マイコン）を備える。マイコンは、センサ２２およびスイッチ２３の検出信号に基づき表示装置１０の表示内容を制御する。すなわち、ダイヤル２１が回転操作されると、表示部ｅ１〜ｅ５に表示されるアイコンＧ〜Ｋがスクロール表示される。このようにスクロール表示を制御しているときの制御装置３０は、探索制御装置に相当する。
【００２１】
スクロールの向き（検索方向）は、ダイヤル２１を回転操作する方向に応じて決定される。図１の例では、ダイヤル２１を順方向に回転させればアイコンＧ〜Ｋが時計方向（下方）にスクロールされ、例えば、表示部ｅ１〜ｅ５の各々にアイコンＦ、Ｇ、Ｈ、Ｉ、Ｊが表示されるようになる。スクロールの速度（探索速度）は、ダイヤル２１を回転操作する量に応じて決定される。つまり、基準位置Ｒ０に対する回転操作量が大きいほど、スクロール速度が速くなるように表示される。
【００２２】
図２は、ダイヤル２１の回転操作量および回転方向と、表示装置１０におけるスクロール方向およびスクロール速度との関係を示す表である。表の左欄は、現時点での回転操作量および回転方向を示す。表の上欄は、センサ２２の前回検出時点または所定時間前における回転操作量および回転方向を示す。図２中の符号θ１、θ２、θ３、−θ１、−θ２、−θ３は、図１に示す回転角度に相当し、θ１＜θ２＜θ３、｜−θ１｜＜｜−θ２｜＜｜−θ３｜といった大小関係である。表中の数値はスクロール速度、つまり単位時間当たりのスクロール送り量を示しており、例えばスクロール速度が「３」であれば、単位時間当たりにアイコンを３つ分スクロールさせる。
【００２３】
ここで、所定時間前の回転方向と現時点での回転方向とが同じでなければ、後述する急反転操作が為されたと判定される。図２中の斜線を付した領域は、急反転操作と判定された場合におけるスクロール速度の値を示す。それ以外の領域は、急反転操作と判定されていない場合におけるスクロール速度の値を示す。
【００２４】
図２に基づけば、例えば、前回のダイヤル操作が、０〜θ１の範囲に順方向回転させており、その状態からさらに順方向回転させてθ１〜θ２の範囲にダイヤル操作した場合には、図２中の符号Ｄ１に示すように、単位時間当たりにアイコンを２つ分順方向にスクロールさせる。すなわち、アイコンＧ、Ｈ、Ｉ、Ｊ、Ｋを表示させる図１の表示状態から、アイコンＥ、Ｆ、Ｇ、Ｈ、Ｉを表示させるようにスクロールさせる。
【００２５】
一方、前回のダイヤル操作が、−θ１〜０の範囲に逆方向回転させており、その状態から順方向に反転操作させてθ１〜θ２の範囲にダイヤル操作した場合には、図２中の符号Ｄ２に示すように、単位時間当たりにアイコンを１つ分順方向にスクロールさせる。すなわち、アイコンＧ、Ｈ、Ｉ、Ｊ、Ｋを表示させる図１の表示状態から、アイコンＦ、Ｇ、Ｈ、Ｉ、Ｊを表示させるようにスクロールさせる。
【００２６】
要するに、急反転操作が為されていない場合には、ダイヤル２１の実際の操作量に対応するスクロール速度（Ｄ１の例では２）でスクロールさせるよう、制御装置３０は表示制御（通常制御）する。一方、急反転操作が為されている場合には、通常制御の場合よりも遅いスクロール速度（Ｄ２の例では１）でスクロールさせるよう、制御装置３０は表示制御（低速制御）する。
【００２７】
なお、上述の如く急反転操作が為されているか否かを判定している時のマイコンは、図１中の判定手段３１に相当する。そして、上述した通常制御を実施している時のマイコンは図１中の通常制御手段３２に相当し、低速制御を実施している時のマイコンは図１中の低速制御手段３３に相当する。
【００２８】
図３は、図２をグラフに表したものであり、図中の実践が通常制御を実施するときのスクロール速度（スクロール送り量）と操作量との関係を表す。なお、操作量の値がプラスの領域は順方向、マイナスの領域は逆方向の操作量を表す。図３の例では、通常制御時の送り量を、回転操作量に応じて３段階に設定しており、それぞれの送り量を低速制御時には所定量だけ低下させている。
【００２９】
次に、図２および図３の設定にしたがってスクロールの表示制御を実施した場合における、表示態様の具体例について図４を用いて説明する。図４は、ユーザのダイヤル操作に伴い表示部ｅ３に表示されているアイコン（選択アイコン（選択表示対象））が移り変わっていく様子を示す。
【００３０】
図４（ａ）は、当初の選択アイコンが「Ａ」であり、所望するアイコン（所望アイコン（所望表示対象））が「Ｉ」である場合において、ユーザが「Ｉ」を探索しようとして逆方向にダイヤル操作を開始した場合の表示例である。
【００３１】
この例では、先ず、逆方向に速度３でスクロールするように操作している。その後、選択アイコンが「Ｅ」になった直後のｔ１時点で、ダイヤル回転量を小さくして逆方向速度２に操作している。その後、選択アイコンが「Ｆ」になった直後のｔ２時点で、ダイヤル回転量をさらに小さくして逆方向速度１に操作している。その後、選択アイコンが「Ｈ」になった直後のｔ３時点で、ダイヤル２１をゼロ位置に操作して、表示部ｅ３に「Ｉ」を表示させた状態でスクロールを停止させている。
【００３２】
要するに、ダイヤル２１を速度３の状態からゼロに戻すタイミングｔ１が遅れることなく、徐々に回転量を小さくして速度を低下させており、反転操作をすること無く所望アイコン「Ｉ」を選択できている。
【００３３】
図４（ｂ）も（ａ）と同様にして、先ず、所望アイコンＩに向けてユーザが逆方向速度３に操作している。その後、選択アイコンが「Ｈ」になった直後のｔ１時点で、ダイヤル回転量を小さくして逆方向速度２に操作している。その後、選択アイコンが「Ｉ」になった直後のｔ２時点で、ダイヤル回転量をさらに小さくして逆方向速度１に操作している。その後、選択アイコンが「Ｊ」になった直後のｔ３時点で、ダイヤル２１をゼロ位置に操作し、その後のｔ４時点で順方向速度１、ｔ５時点で順方向速度２、ｔ６時点で順方向速度１に操作し、表示部ｅ３に「Ｉ」を表示させたｔ７時点でスクロールを停止させている。つまり、ｔ１時点で反転操作を開始しており、スクロール方向を反転させた後に所望アイコン「Ｉ」を選択できている。
【００３４】
そして、上記（ｂ）の例における反転操作は、ダイヤル操作の回転速度が所定速度以上である急反転操作である。そのため、この判定が為されたｔ４時点以降では、低速制御によりスクロールさせている。因みに、図５は、順方向から逆方向へ反転操作させた場合の操作量の時間変化を示す図であり、図中の実線は、所定速度未満でゆっくりと反転操作させた場合、図中の点線は、所定速度以上で速く反転操作（急反転操作）させた場合を示す。
【００３５】
なお、急反転操作に伴い低速制御を実施している期間中には、制御装置３０は、以下に説明する急反転時アイコン報知制御を実施する。すなわち、急反転操作を開始したｔ１時点での選択アイコンＩ、またはその選択アイコンＩを含む所定領域のアイコン（例えばＨ〜ＪやＩ〜Ｋ、Ｈ〜Ｋ等）を、他のアイコンとは異なる態様で表示させる。例えば、所定領域のアイコンＨ、Ｉ、Ｊを点滅表示させたり、異なる色で点灯させたり、華燭表示させたりする。なお、このように表示制御している時のマイコンは、図１中の急反転時表示対象報知手段３５に相当する。
【００３６】
また、急反転操作に伴い低速制御を実施している期間中には、制御装置３０は、低速制御で探索している旨をユーザに報知する低速探索報知制御を実施する。例えば、低速制御期間中に、報知音を発生させたり、音声を発生させたり、ダイヤル２１を振動させたりする。なお、このように表示制御している時のマイコンは、図１中の低速探索報知手段３６に相当する。
【００３７】
図４（ｃ）は、当初の選択アイコンが「Ａ」であり、所望アイコンが決まっていない状態で「Ｋ」まで探索し、探索した「Ａ」〜「Ｋ」の中から「Ｄ」を所望アイコンに決め、反転操作して「Ｄ」まで戻すようにダイヤル操作した場合の表示例である。
【００３８】
この例では、先ず、ユーザが逆方向速度３に操作し、その後、ｔ１時点で逆方向速度２、ｔ２時点で逆方向速度１、ｔ３時点でゼロ位置に操作している。さらにその後、ｔ４時点で順方向速度１、ｔ５時点で順方向速度２、ｔ６時点で順方向速度３、ｔ７時点で順方向速度２、ｔ８時点で順方向速度１、表示部ｅ３に「Ｄ」を表示させたｔ９時点でスクロールを停止させている。つまり、ｔ１時点で反転操作を開始しており、スクロール方向を反転させた後に所望アイコン「Ｄ」を選択できている。
【００３９】
そして、上記（ｃ）の例における反転操作は、所定速度以上の急反転操作であるため、この判定が為されたｔ４時点以降では、低速制御によりスクロールさせている。但し、反転操作を開始したｔ１時点におけるスクロール位置を越えた時点で、低速制御から通常制御に切り替えて順方向にスクロールさせている。
【００４０】
要するに、急反転操作を開始したｔ１時点で表示部ｅ３に表示されていたアイコンＩが特定アイコン（特定表示対象）として設定され、かつ、この特定アイコンＩを境に逆方向側の領域が所定領域として設定される。そして、スクロール表示が反転したｔ４時点の後に、低速制御でスクロール表示している最中に、表示部ｅ３に表示されているアイコンが所定領域を越えてＩになった以降では、通常制御でスクロール表示させている。
【００４１】
図６は、制御装置３０が有するマイコンにより、上述した通常制御および低速制御を実施する手順のフローチャートであり、所定時間で繰り返し実行される。
【００４２】
先ず図６のステップＳ１０において、センサ２２から出力される検出信号を取得する。続くステップＳ１１では、取得した検出信号に基づきダイヤル２１の操作量と操作方向を算出する。続くステップＳ１２では、算出した操作量がゼロであるか否かを判定する。操作量がゼロでなければ（Ｓ１２：ＮＯ）、ステップＳ１３に進み、算出した操作量および操作方向の履歴に基づき、急反転操作が為されたか否かを判定する。この判定は、図１の判定手段３１により実行される。
【００４３】
例えば、図５の如く操作量が変化した場合には、反転操作を開始したＡ１時点から、反転後の操作量が所定量Ｐに達したＡ３時点までの時間を計測し、計測した時間Ａ１〜Ａ３が閾値ＴＨ未満であれば、反転操作速度が所定速度以上であるとみなして、急反転操作が為されたと判定する。図７は、図５の点線の如く操作量を変化させた場合における、スクロール速度の変化を示す。前記所定量Ｐは−θ１−θ２の絶対値に相当する。
【００４４】
図７の例では、Ａ１時点からの操作が反転操作であることは、Ａ２時点で初めて確定する。その反転操作が急反転操作であることは、Ａ３時点で初めて確定する。なお、前記所定量Ｐを−θ１−θ２−θ３に設定し、時間Ａ１〜Ａ３が閾値ＴＨ未満である場合に急反転と判定するようにしてもよい。
【００４５】
図５および図７では、Ａ１時点からスクロール速度を減少させ続けるように操作した場合における急反転の例を示す。これに対し、図８の例では、Ｂ１時点からＢ２時点まで減少させた後に増大に転じ、その後、Ｂ３時点から再度減少させた後に反転させている。この場合については、最終的に減少を開始させたＢ３時点から、反転後の操作量が所定量Ｐに達したＢ４時点までの時間を計測し、計測した時間Ｂ３〜Ｂ４が閾値ＴＨ未満であれば、反転操作速度が所定速度以上であるとみなして、急反転と判定する。要するに、増減を繰り返しながら反転させた場合には、最終的に反転操作を開始した時点から、反転後に所定量操作される時点までの所要時間に基づき、急反転を判定する。
【００４６】
また、図９の例では、Ｃ１時点からＣ２時点までは減少速度が遅く、Ｃ２時点から速くなるように反転操作している。この場合については、スクロール速度変化の履歴のうち、Ｃ１時点からＣ２時点の期間の如く所定時間以上変化していない履歴部分については判定に考慮せず、Ｃ２時点以降の如く所定時間以内に変化している履歴部分に基づき判定する。図９の例では、Ｃ２時点から、反転後の操作量が所定量Ｐに達したＣ３時点までの時間を計測し、計測した時間Ｃ２〜Ｃ３が閾値ＴＨ未満であれば、反転操作速度が所定速度以上であるとみなして、急反転と判定する。要するに、スクロール速度の変化が一定ではない場合には、変化速度が所定以上になっている履歴部分Ｃ２〜Ｃ３に基づき、急反転を判定する。
【００４７】
以上により、図７〜図９で例示したように、スクロール方向が反転する時点の前後の期間における、スクロール速度の変化の履歴に基づき、その反転操作が急反転であるか否かを判定する。
【００４８】
図６の説明に戻り、急反転操作が為されていれば（Ｓ１３：ＹＥＳ）、ステップＳ１４に進み、急反転操作の開始時点で表示部ｅ３に表示されていたアイコン、つまり急反転操作の開始時点で選択されていた特定アイコンに基づき、図４（ｃ）を用いて先述した所定領域を設定する。この設定は、図１の設定手段３４により実行される。図４（ｃ）の例では、特定アイコンＩよりも逆方向側（反転前のスクロール方向側）を所定領域として設定しているが、所定領域に特定アイコンＩが含まれていればよく、特定アイコンＩよりも順方向側（反転後のスクロール方向側）に所定領域を拡大し、例えばアイコンＧよりも逆方向側を所定領域に設定してもよい。
【００４９】
次のステップＳ１５では、現時点で表示部ｅ３に表示されて選択されているアイコンが、ステップＳ１４で設定した所定領域内のアイコンであるか否かを判定する。所定領域内であれば（Ｓ１５：ＹＥＳ）、ステップＳ１６に進み、急反転操作の開始時点からの経過時間が所定時間未満であるか否かを判定する。所定時間未満であれば（Ｓ１６：ＹＥＳ）、ステップＳ１７に進み、低速制御でスクロールさせる。
【００５０】
一方、急反転操作の開始時点からの経過時間が所定時間以上である場合（Ｓ１６：ＮＯ）、或いは現時点での選択アイコンが所定領域外である場合（Ｓ１５：ＮＯ）、或いは急反転操作が為されていない場合（Ｓ１３：ＮＯ）には、ステップＳ１８に進み、通常制御でスクロールさせる。
【００５１】
なお、ステップＳ１７、Ｓ１８で表示制御されるスクロール方向およびスクロール速度は、ステップＳ１１で算出した現時点での操作量および操作方向に基づき、図２のマップに従って決定される。また、ステップＳ１２において操作量がゼロと判定された場合には、ステップＳ１９に進み、スクロールを停止させる。
【００５２】
以上に説明した本実施形態では、要するに、以下に列挙する特徴を備える。そして、それらの各特徴により以下に説明する作用効果が発揮される。
【００５３】
＜特徴１＞
判定手段３１および低速制御手段３３を備えるので、急反転操作すると、通常制御時よりも遅いスクロール速度（探索速度）でスクロールする低速制御が実施される。そのため、図４（ｂ）の如く急反転操作した場合には、スクロールを反転させた以降、実際の操作量よりも遅い速度でスクロールすることになる。よって、１回の反転操作で所望のアイコンを選択可能にすることを促進でき、反転操作を繰り返す状況に陥ることを抑制できる。
【００５４】
＜特徴２＞
急反転操作を開始した時点で探索していたアイコンを特定アイコンとして設定し、かつ、複数のアイコンの中から特定アイコンを少なくとも含む所定領域を設定する。そして、低速制御中に選択アイコンが所定領域から外れた時点で、低速制御から通常制御に切り替える。そのため、図４（ｃ）の如く、反転操作開始時のスクロール位置から大きく戻った位置の所望アイコンを選択することを意図して急反転操作した場合には、所定領域を外れる位置まで選択アイコンを戻した時点でスクロール速度が通常制御による速度に戻る。そのため、所望アイコンが表示部ｅ３に表示されるまでに要する時間を短くでき、探索の操作性を向上できる。
【００５５】
＜特徴３＞
急反転操作を開始したｔ１時点から所定時間が経過していれば、低速制御から通常制御に切り替える。そのため、図４（ｃ）の如くスクロール位置を大きく戻して所望アイコンＤを選択するべく急反転操作した場合には、所定時間が経過した時点でスクロール速度が通常制御による速度に戻る。そのため、所望アイコンＤが表示部ｅ３に表示されるまでに要する時間を短くでき、探索の操作性を向上できる。
【００５６】
＜特徴４＞
急反転開始時の選択アイコン（特定アイコンＩ）、またはその特定アイコンＩを含む所定領域のアイコンが、複数のアイコンＡ〜Ｚのいずれであるかをユーザに報知する、急反転時表示対象報知手段３５を備える。そのため、低速制御の実施期間中、その報知内容を参考にしながら所望アイコンＩを選択できるので、急反転操作後のアイコン選択の操作性を向上できる。
【００５７】
＜特徴５＞
低速制御で探索している旨をユーザに報知する低速探索報知手段３６を備えるので、スクロール速度が低速になったことに対してユーザが違和感を持つことを抑制できる。
【００５８】
（第２実施形態）
上記第１実施形態では、操作量に対するスクロール送り量を段階的に変化させているが、本実施形態では図１０に示すように、操作量に対するスクロール送り量を徐々に変化させる。そして、図１０に示す特性線の傾きを、低速制御時には通常制御時に比べて小さくするように補正する。これによっても、上記第１実施形態と同様の効果が発揮される。
【００５９】
（第３実施形態）
上記第１実施形態では、オーディオモード（第１モード）と空調操作モード（第２モード）とナビモード（第３モード）とに切り替え可能であり、いずれのモードが選択されているかに拘らず、急反転操作されたか否かの判定条件を同じにしている。すなわち、図５中の点線に示すように、所定速度以上で反転操作されたことを急反転操作の判定条件としている。
【００６０】
これに対し本実施形態では、選択しているモードに応じて、急反転操作されたか否かの判定条件を異ならせている。つまり、前記判定に用いる所定速度をモードに応じて可変設定する。
【００６１】
例えば、アイコン数が多いモードの場合には、速いスクロール速度で急反転する機会が多いので、前記判定に用いる所定速度を小さく設定して、低速制御が為される機会を増やすことが好ましい場合がある。或いは、アイコン数が多いモードの場合には、急反転後も速いスクロール速度で検索したいユーザを想定し、前記判定に用いる所定速度を大きく設定して、低速制御が為される機会を減らすことが好ましい場合がある。
【００６２】
（他の実施形態）
本発明は上記実施形態の記載内容に限定されず、以下のように変更して実施してもよい。また、各実施形態の特徴的構成をそれぞれ任意に組み合わせるようにしてもよい。
【００６３】
・図１の例では、回転操作されるダイヤル２１を操作部材として適用しているが、傾倒操作または遥動操作する部材を操作部材として適用してもよい。要するに、基準位置から双方向に操作する部材であれば、操作部材に適用できる。例えば、ユーザが指で接触操作する操作面を有し、接触状態に応じて生じる静電容量変化を検出するタッチパッドであっても、基準位置から双方向に操作することでスクロール方向を反転できるように設定されていれば、本発明に適用できる。
【００６４】
・図６のステップＳ１４で設定される所定領域は、特定アイコンＩのみであってもよいし、特定アイコンを含む反転前スクロール側の領域Ｉ、Ｊであってもよいし、特定アイコンを含む前後の領域Ｈ、Ｉ、Ｊであってもよい。
【００６５】
・急反転時表示対象報知手段３５による報知、および低速探索報知手段３６による報知は、急反転操作の開始時点から一定時間が経過したら、その報知を禁止するようにしてもよい。
【００６６】
・表示対象は、予め設定された処理内容を表現するものであれば、文字であることに限定されるものではなく、図形や記号であってもよい。或いは、文字、図形および記号の組み合わせであってもよい。例えば、空調操作モードにおいて風量を増大させることを表現する図形や記号、オーディオモードにおいて曲名を表現する文字等が具体例として挙げられる。
【符号の説明】
【００６７】
１０…表示装置、２１…ダイヤル（操作部材）、３１…判定手段、３２…通常制御手段、３３…低速制御手段、３４…設定手段、３５…急反転時表示対象報知手段、３６…低速探索報知手段、３０…制御装置（探索制御装置）。
【図１】
2014164741.tif 000003
【図２】
2014164741.tif 000004
【図３】
2014164741.tif 000005
【図４】
2014164741.tif 000006
【図５】
2014164741.tif 000007
【図６】
2014164741.tif 000008
【図７】
2014164741.tif 000009
【図８】
2014164741.tif 000010
【図９】
2014164741.tif 000011
【図１０】
2014164741.tif 000012